(57)【要約】複数の折丁（１）の背部を綴針（２）で綴じた中綴じ冊子本体（Ａ）に於いて、綴針（２）の折返部が露出するセンター頁にある中央用紙の折目線（４）の左右両脇部分に、折目線（４）に対して略平行な略細長帯状の左右接着部（３）を夫々設け、一方、適宜貼付用紙（Ｂ）の貼付用紙基部（Ｂ１）を、中綴じ冊子本体（Ａ）の見開き版面以下となるよう形成し、中央の折目線（７）が前記中綴じ冊子本体（Ａ）の中央用紙の折目線（４）に合致するよう左右接着部（３）を介して接着する。綴針の折返部を確実に覆え、外観上の体裁が良く、手指を損傷する虞れがなく、貼付用紙を比較的簡単に取外せ、綴針孔や綴針孔からの破断線等が残らない綺麗な貼付用紙となり、貼付用紙基部を正確、確実、且つ安定的に接着でき、広告用紙の折畳み周縁部分が中綴じ冊子本体の周縁部分からはみ出さず、構成簡素で、量産に適し、低廉で、経済的な無線中綴じ冊子を提供する。
2003041968.tif 000002
【特許請求の範囲】
【請求項１】
複数の折丁の背部を綴針で綴じてなる中綴じ冊子本体に於いて、綴針の折返部が露出することとなるセンター頁にある中央用紙の折目線の左右両脇部分に、折目線に対して略平行となる略細長帯状の左右接着部を夫々設け、一方、適宜貼付用紙の貼付用紙基部を、中綴じ冊子本体の見開き版面以下となるよう形成すると共に、貼付用紙基部中央の折目線が前記中綴じ冊子本体の中央用紙の折目線に合致するように、左右接着部を介して接着せしめて構成したことを特徴とする無線中綴じ冊子。
【請求項２】
貼付用紙を、右頁用紙及び左頁用紙からなる貼付用紙基部と、折目線を介して連設される適数の折畳用紙とで構成し、貼付用紙を、中綴じ冊子本体の見開き版面より大きく形成したことを特徴とする請求項１記載の無線中綴じ冊子。
【請求項３】
貼付用紙の貼付用紙基部を、中綴じ冊子本体の見開き版面より僅かに小さく形成し、貼付用紙基部の下縁部を、中綴じ冊子本体の下縁部より僅か上方に配したことを特徴とする請求項１または請求項２記載の無線中綴じ冊子。
【発明の詳細な説明】
技術分野
本発明は、複数の折丁の背部を綴針で綴じてなる中綴じ冊子に於いて、綴針の折返部が露出しているセンター頁に、例えば広告用紙等の適宜貼付用紙を接着せしめて、綴針の折返部を確実に覆えるように構成した無線中綴じ冊子に関するものである。
背景技術
従来、中綴じ冊子にあっては、複数の折丁の背部を綴針で綴じ、そのセンター頁に綴針の折返部が露出するように構成されたものが数多く提供されている。
ところが、前述の如き中綴じ冊子にあっては、センター頁に露出している綴針の折返部の外観上の体裁が極めて悪く、また、綴針の折返部先端で手指を損傷する虞れ等もあった。更に、センター頁に綴じ込んであるグラビア広告等を冊子から取外すと、綴針孔や綴針孔からの破断線等がグラビア広告等に残ってしまう難点等があった。
そこで、本発明は、綴針の折返部を覆うようにして外観上の体裁が良くなるようにすると共に、綴針の折返部先端で手指を損傷することがなくなるようにし、また、センター頁にあるグラビア広告等を冊子から比較的簡単に取外せると共に、綴針孔や綴針孔からの破断線等がグラビア広告等に残るような虞れが全く無く、しかも、構成が簡素で、量産に適し、低廉で、経済的な無線中綴じ冊子を提供すべく創出されたものである。
発明の開示
しかして、本発明の無線中綴じ冊子にあっては、複数の折丁１の背部を綴針２で綴じてなる中綴じ冊子本体Ａに於いて、綴針２の折返部が露出することとなるセンター頁にある中央用紙の折目線４の左右両脇部分に、折目線４に対して略平行となる略細長帯状の左右接着部３を夫々設け、一方、適宜貼付用紙Ｂの貼付用紙基部Ｂ１を、中綴じ冊子本体Ａの見開き版面以下となるよう形成すると共に、貼付用紙基部Ｂ１中央の折目線７が前記中綴じ冊子本体Ａの中央用紙の折目線４に合致するように、左右接着部３を介して接着せしめて構成する手段を採用した。
また、貼付用紙Ｂを、右頁用紙５及び左頁用紙６からなる貼付用紙基部Ｂ１と、折目線８を介して連設される適数の折畳用紙１０とで構成し、貼付用紙Ｂを、中綴じ冊子本体Ａの見開き版面より大きく形成する手段を採用した。
更に、貼付用紙Ｂの貼付用紙基部Ｂ１を、中綴じ冊子本体Ａの見開き版面より僅かに小さく形成し、貼付用紙基部Ｂ１の下縁部を、中綴じ冊子本体Ａの下縁部より僅か上方に配する手段を採用した。
発明を実施するための最良の形態
本発明をより詳細に説述するために、添付の図面に従ってこれを説明する。
本発明の無線中綴じ冊子は、複数の折丁１の背部を複数の綴針２で綴じた中綴じ冊子本体Ａを形成し、この中綴じ冊子本体Ａの綴針２の折返部が露出するセンター頁にある中央用紙の折目線４部分に適宜貼付用紙Ｂの貼付用紙基部Ｂ１を接着して構成されたものである。すなわち、綴針２の折返部を貼付用紙基部Ｂ１で確実に覆うようにして、外観上の体裁を良くすると共に、折返部先端で手指を損傷しないように構成したものである。
そして、中綴じ冊子本体Ａのセンター頁にある中央用紙に於いて、その折目線４上にある綴針２の折返部の左右両脇部分に、折目線４に対して夫々略平行となる略細長帯状の右接着部３と略細長帯状の左接着部３とを設ける（例えば、右接着部３と左接着部３とで綴針２の折返部を挟むような離れた状態に設け、或いは、右接着部３と左接着部３とが接触した状態に設ける）。一方、広告用紙等の適宜貼付用紙Ｂの貼付用紙基部Ｂ１を、中綴じ冊子本体Ａの見開き版面以下となるよう形成する。更に、貼付用紙基部Ｂ１の右頁用紙５と左頁用紙６の間にある折目線７が中綴じ冊子本体Ａの中央用紙の折目線４に合致するように、貼付用紙Ｂを中綴じ冊子本体Ａに左右接着部３を介して接着せしめて構成されている。すなわち、中綴じ冊子本体Ａのセンター頁にある中央用紙に左右接着部３が設け易くなると共に、貼付用紙Ｂの貼付用紙基部Ｂ１を中綴じ冊子本体Ａのセンター頁に正確に、確実に、綺麗に、且つ安定的に接着できるよう構成してある。しかも、センター頁にあるグラビア広告等の貼付用紙Ｂを中綴じ冊子本体Ａから比較的簡単に取外せるように構成してあると共に、綴針孔や綴針孔からの破断線等が全く残らないよう左右接着部３部分で綺麗に剥がせるように構成してある。尚、左右接着部３は、貼付用紙Ｂをより綺麗に剥がせるように、例えば、太い破線状に夫々形成したものであっても良い。
前記貼付用紙Ｂは、主に、グラビア広告、その他の広告用紙、地図、中綴じ冊子本体Ａの増頁分等として利用されるもので、適宜紙材や、適宜樹脂シート材や、適宜複合材や、その他の適宜材料等によって構成できるものである。しかも、貼付用紙Ｂは、少なくとも右頁用紙５と左頁用紙６からなる貼付用紙基部Ｂ１を有し、必要に応じて貼付用紙基部Ｂ１の左右側縁や上下縁に折目線８を介して適数の折畳用紙１０を連設して構成することができる。すなわち、展開せしめたときの貼付用紙Ｂ全体が、中綴じ冊子本体Ａの見開き版面よりかなり大きくなり、貼付用紙Ｂを折畳んだときにはコンパクトとなるように形成しておくことができる。
また、貼付用紙Ｂの貼付用紙基部Ｂ１は、中綴じ冊子本体Ａの見開き版面と同じ大きさに設定しても良いし、或いは、中綴じ冊子本体Ａの見開き版面より僅かに小さく形成しても良い。すなわち、貼付用紙Ｂを折畳んだときに、その折畳み周縁部分（貼付用紙基部Ｂ１の周縁部分）が中綴じ冊子本体Ａのセンター頁内に無理なく納まるように構成することができる。
しかも、貼付用紙基部Ｂ１を中綴じ冊子本体Ａの見開き版面より僅かに小さく形成した場合は、貼付用紙基部Ｂ１の下縁部を、中綴じ冊子本体Ａの下縁部より僅か上方に配するようにして、損傷し易い貼付用紙Ｂの折畳み下縁部分を保護できるように構成することが可能となる。
そして、図１に示す無線中綴じ冊子は、貼付用紙Ｂを、右頁用紙５と左頁用紙６からなる貼付用紙基部Ｂ１のみで構成したもので、例えば、グラビア広告や、中綴じ冊子本体Ａの増頁分等として利用するのに適したものとなる。
また、図２に示す無線中綴じ冊子は、貼付用紙Ｂを、貼付用紙基部Ｂ１の左頁用紙６（或いは、右頁用紙５）の側縁部に折目線８を介して折畳用紙１０を連設して略片観音開き状に構成したもので、例えば、多少横長のグラビア広告等として利用するのに適したものとなる。
更に、図３に示す無線中綴じ冊子は、貼付用紙Ｂを、貼付用紙基部Ｂ１の右頁用紙５の側縁部と、左頁用紙６の側縁部とに折目線８を介して折畳用紙１０を夫々連設して略両観音開き状に構成したもので、例えば、かなり横長のグラビア広告等として利用するのに適したものとなる。
それから、図４に示す無線中綴じ冊子は、貼付用紙Ｂを、貼付用紙基部Ｂ１の右頁用紙５と左頁用紙６の下縁部（或いは、上縁部）に折目線８を介して折畳用紙１０を夫々連設して構成したもので、例えば、縦横に大きなグラビア広告や、地図等として利用するのに適したものとなる。尚、連設された折畳用紙１０相互は、折目線８を介して連設された状態となっており、展開したときに貼付用紙Ｂが一枚の矩形シート状となるように形成されている。
加えて、図５に示す無線中綴じ冊子は、貼付用紙Ｂを、貼付用紙基部Ｂ１の右頁用紙５と左頁用紙６の下縁部（或いは、上縁部）に折目線８を介して計六枚の折畳用紙１０を順次連設して構成したもので、例えば、縦横にかなり大きなグラビア広告や、地図等として利用するのに適したものとなる。尚、連設された折畳用紙１０相互は、折目線８を介して連設された状態となっており、展開したときに貼付用紙Ｂが一枚の大きな矩形シート状となるように形成されている。
ところで、中綴じ冊子本体Ａの具体的構成、形状、寸法、材質、折丁１の具体的構成、形状、寸法、材質、綴針２の具体的構成、形状、寸法、材質、数、配設位置、左右接着部３夫々の具体的構成、形状、寸法、配設位置、折目線４の具体的構成、形状、寸法、配設位置、貼付用紙Ｂの具体的構成、形状、寸法、材質、貼付用紙基部Ｂ１の具体的構成、形状、寸法、材質、右頁用紙５の具体的形状、寸法、左頁用紙６の具体的形状、寸法、折目線７の具体的構成、形状、寸法、配設位置、折目線８の具体的構成、形状、寸法、配設位置、数、折畳用紙１０の具体的構成、形状、寸法、材質、数、配設位置等は、図示例のもの等に限定されることなく、適宜自由に設定、変更できるものである。
産業上の利用可能性
複数の折丁１の背部を綴針２で綴じてなる中綴じ冊子本体Ａに於いて、綴針２の折返部が露出することとなるセンター頁にある中央用紙の折目線４の左右両脇部分に、折目線４に対して略平行となる略細長帯状の左右接着部３を夫々設け、一方、適宜貼付用紙Ｂの貼付用紙基部Ｂ１を、中綴じ冊子本体Ａの見開き版面以下となるよう形成すると共に、貼付用紙基部Ｂ１中央の折目線７が前記中綴じ冊子本体Ａの中央用紙の折目線４に合致するように、左右接着部３を介して接着せしめて構成したので、綴針２の折返部が貼付用紙基部Ｂ１で確実に覆えるようになり、外観上の体裁が良くなると共に、綴針２の折返部先端で手指を損傷したりする虞れがなくなる。また、センター頁にあるグラビア広告等の貼付用紙Ｂを中綴じ冊子本体Ａから比較的簡単に取外せるようになると共に、取外したときに綴針孔や綴針孔からの破断線等が全く残らない綺麗な貼付用紙Ｂとなる。しかも、構成が簡素で、量産に適し、低廉で、経済的な無線中綴じ冊子となる。
特に、センター頁にある中央用紙の折目線４の左右両脇部分に、折目線４に対して略平行となる略細長帯状の左右接着部３を夫々設け、適宜貼付用紙Ｂの貼付用紙基部Ｂ１を、中央の折目線７が前記中綴じ冊子本体Ａの中央用紙の折目線４に合致するように、左右接着部３を介して接着せしめたので、貼付用紙Ｂの貼付用紙基部Ｂ１を中綴じ冊子本体Ａのセンター頁に正確に、確実に、且つ安定的に接着できるようになる。しかも、左右接着部３をセンター頁にある中央用紙に設け易くなり、貼付用紙Ｂを中綴じ冊子本体Ａの中央用紙に綺麗に接着できるようになる。
加えて、適宜貼付用紙Ｂの貼付用紙基部Ｂ１を、中綴じ冊子本体Ａの見開き版面以下となるよう形成したので、貼付用紙Ｂを折畳んだときに、その折畳み周縁部分が中綴じ冊子本体Ａの周縁部分からはみ出すことのないものとなる。
また、貼付用紙Ｂを、右頁用紙５及び左頁用紙６からなる貼付用紙基部Ｂ１と、折目線８を介して連設される適数の折畳用紙１０とで構成し、貼付用紙Ｂを、中綴じ冊子本体Ａの見開き版面より大きく形成したので、展開せしめたときにかなり大きなものとなる貼付用紙Ｂを、中綴じ冊子本体Ａのセンター頁部分にコンパクトな折畳み状態で設けておくことができるようになる。
更に、貼付用紙Ｂの貼付用紙基部Ｂ１を、中綴じ冊子本体Ａの見開き版面より僅かに小さく形成し、貼付用紙基部Ｂ１の下縁部を、中綴じ冊子本体Ａの下縁部より僅か上方に配したので、貼付用紙Ｂを折畳んだときに、その折畳み周縁部分が中綴じ冊子本体Ａのセンター頁内に無理なく納まるようになると共に、折畳み周縁部分が損傷し難くなり、綺麗な貼付用紙Ｂを維持できるようになる。
特に、擦れたりして損傷し易い貼付用紙Ｂの折畳み下縁部分を確実に保護でき、何時までも綺麗な状態で貼付用紙Ｂを保存できるようになる。
【図面の簡単な説明】
図１は、本発明の無線中綴じ冊子を例示する分解斜視図である。
図２は、本発明の他の無線中綴じ冊子を例示する分解斜視図である。
図３は、本発明の他の無線中綴じ冊子を例示する分解斜視図である。
図４は、本発明の他の無線中綴じ冊子を例示する分解斜視図である。
図５は、本発明の他の無線中綴じ冊子を例示する分解斜視図である。
【図１】
2003041968.tif 000003
【図２】
2003041968.tif 000004
【図３】
2003041968.tif 000005
【図４】
2003041968.tif 000006
【図５】
2003041968.tif 000007
【国際調査報告】
2003041968.tif 000008
2003041968.tif 000009